(57)【要約】【課題】本体筐体内部に浸入した水が操作基板に達しないように、本体筐体に操作パネルを取り付けた空気調和機を提供する。【解決手段】カバー部材１８の押さえ部１８ａが操作パネル１５の庇部１５ａを押さえるように配置される。また、操作パネル１５が支持部材１９の前面側操作パネル固定部１９ａａと背面側操作パネル固定部１９ａｂに固定されることによって、操作パネル１５が前方に傾くように配置される。これにより、操作パネル１５に水滴が付着した場合、水滴が傾斜している操作パネル１５上を前方に向かって流れて、カバー部材１８の押さえ部１８ａと庇部１５ａの間を介して本体部１１の内部に浸入しても、庇部１５ａが操作基板４０を操作パネル１５に投影した投影面Ｖより前方に配置されているので、操作基板４０に水滴が落下しない。【選択図】図５
2017110859.tif 000002
【特許請求の範囲】
【請求項１】
筐体内部に空気を吸い込む空気吸込口と、筐体内部から外部へ空気を吹き出す空気吹出口と、前記空気吸込口から吸い込んだ空気を前記空気吹出口へ導く通風路を備える本体部を有し、
前記通風路に送風機を備えた空気調和機であって、
前記本体部の上面に、前記空気調和機を操作するための複数の操作スイッチを有する操作パネルが配置され、
前記操作パネルの下方には、前記操作パネルと電気的に接続された操作基板が配置され、
前記操作パネルの周縁部の一部に庇部を備え、
前記庇部は、前記操作基板を鉛直上方に投影したとき、前記操作パネルに投影される前記操作基板の投影面より外側に配置されるとともに、前記庇部の基端側に対し前記庇部の先端側が低くなるように前記庇部の下面が傾斜して配置される、
ことを特徴とする空気調和機。
【請求項２】
前記操作パネルを傾斜させて配置することで、前記庇部の下面が前記庇部の基端側に対し前記庇部の先端側が低くなるように傾斜して配置される、
ことを特徴とする請求項１に記載の空気調和機。
【請求項３】
前記操作パネルは、支持部材を介して前記操作基板の上部に支持され、
前記支持部材は、同支持部材に前記操作パネルを載置したときに、同操作パネルが傾斜するように形成された操作パネル固定部を有する、
ことを特徴とする請求項１または２に記載の空気調和機。
【請求項４】
前記庇部の下面に傾斜面が設けられ、
前記操作パネルが水平に配置されるときに、前記傾斜面における前記庇部側の端部が他方の端部より低くなるように前記傾斜面が形成されている、
ことを特徴とする請求項１に記載の空気調和機。
【請求項５】
前記本体部は、前記庇部を上方から下方に向かって押さえつける押さえ部を有する、
ことを特徴とする請求項１乃至請求項４に記載の空気調和機。
【請求項６】
前記本体部は、前記支持部材を覆うカバー部材を更に有し、
前記カバー部材には、前記押さえ部が設けられている、
ことを特徴とする請求項５に記載の空気調和機。
【発明の詳細な説明】
【技術分野】
【０００１】
本発明は、床置型の空気調和機に関わり、特に筐体上面に操作部が配置された空気調和機に関する。
【背景技術】
【０００２】
従来、空気清浄機や除湿機等といった床置型の空気調和機には、現在の運転状態や各種の通知および警告を行うための表示部や、電源オンオフ、運転モード切り換え、および、空気調和機で選択できる機能に応じて設けられる操作スイッチを有する操作パネルが設けられる。この操作パネルは、使用者が表示部を視認し易いように、また、使用者が操作スイッチを操作し易いようにするために、空気調和機の本体筐体の上面に配置されることが多い。
【０００３】
近年、床置型の空気調和機の操作パネルに設けられる操作スイッチとして、静電容量式のタッチスイッチを搭載したものが普及し始めている。静電容量式のタッチスイッチはスイッチ毎に静電容量の変化を検出する電極を配置し、各電極は、タッチスイッチの後方に配置された操作基板と電気的に接続されている。このような静電容量式のタッチスイッチでは、操作基板に実装されたＬＥＤ等の光源により特定のスイッチが表示され、使用者が表示されたスイッチに触れると、触れられたスイッチに対応する電極の静電容量が変化することで、当該スイッチが操作されたか否かが判断されるものである。
【先行技術文献】
【特許文献】
【０００４】
【特許文献１】特開２０１５−９０２５１号公報
【発明の概要】
【発明が解決しようとする課題】
【０００５】
床置型の空気調和機の本体筐体の上面に、上述した静電容量式のタッチスイッチを搭載した操作パネルを配置する場合、操作基板は操作パネルの直下に配置される。従って、使用者が濡れた手指でタッチスイッチを操作したり、誤って操作パネル上に水をこぼしてしまったりした場合に、本体筐体内部に浸入した水が操作パネルの直下に配置される操作基板に達し、操作基板が故障する恐れがあった。
【０００６】
本発明は以上述べた問題点を解決し、本体筐体内部に浸入した水が操作基板に達しないように、本体筐体に操作パネルを取り付けた空気調和機を提供することを目的とする。
【課題を解決するための手段】
【０００７】
本発明は上述の課題を解決するものであって、本発明の空気調和機は、筐体内部に空気を吸い込む空気吸込口と、筐体内部から外部へ空気を吹き出す空気吹出口と、空気吸込口から吸い込んだ空気を空気吹出口へ導く通風路を備える本体部を有し、通風路に送風機を備えたものであって、本体部の上面に、空気調和機を操作するための複数の操作スイッチを有する操作パネルが配置され、操作パネルの下方には、操作パネルと電気的に接続された操作基板が配置されている。そして、操作パネルの周縁部の一部に庇部を備え、庇部は、操作基板を鉛直上方に投影したとき、操作パネルに投影される操作基板の投影面より外側に配置されるとともに、庇部の基端側に対し庇部の先端側が低くなるように庇部の下面が傾斜して配置される。
【発明の効果】
【０００８】
本発明の空気調和機は、操作パネルの周縁部における本体部の上面との境界部から本体部の内部に水滴が浸入しても、操作パネルに設けられた庇部によって浸入した水が操作基板にかからないので、本体部の内部に浸入した水によって操作基板が故障することがない。
【図面の簡単な説明】
【０００９】
【図１】本発明の実施形態における、空気清浄機の外観斜視図である。
【図２】本発明の実施形態における、空気清浄機の上面図である。
【図３】図１におけるＰ−Ｐ断面図である。
【図４】本発明の実施形態における、空気清浄機の要部分解斜視図である。
【図５】図３におけるＤ部を示す図であり、（Ａ）はＤ部拡大図、（Ｂ）は（Ａ）におけるＥ部の要部拡大図である。
【図６】本発明の第２の実施形態における、図３におけるＤ部を示す図である。
【図７】本発明の第３の実施形態における、図３におけるＤ部を示す図である。
【発明を実施するための形態】
【００１０】
以下、本発明の実施の形態を、添付図面に基づいて詳細に説明する。尚、本発明は以下の実施形態に限定されることはなく、本発明の主旨を逸脱しない範囲で種々変形することが可能である。
【実施例１】
【００１１】
図１および図２に示す空気清浄機１は、本発明の床置型の空気調和機の一実施形態であり、各々合成樹脂材で形成された天面パネル１１ａ、右側面パネル１１ｂ、左側面パネル１１ｃ、底部１１ｄ、前面パネル１２、フロントパネル１３およびリアパネル１４で略直方体状に形成された本体部１１を有する。
【００１２】
天面パネル１１ａと前面パネル１２の上面部１２ａとフロントパネル１３の上端部１３ｅとリアパネル１４の上端部１４ｅで形成される面が本体部１１の上面である。右側面パネル１１ｂと前面パネル１２の右側面部１２ｂとフロントパネル１３の右側端部１３ｆとリアパネル１４の右側端部１４ｆとで形成される面が本体部１１の右側面である。左側面パネル１１ｃと前面パネル１２の左側面部１２ｃとフロントパネル１３の左側端部１３ｇとリアパネル１４の左側端部１４ｇとで形成される面が本体部１１の左側面である。底部１１ｄとフロントパネル１３の下端部１３ｈとリアパネル１４の下端部１４ｈとで形成される面が本体部１１の底面である。
【００１３】
尚、以降の説明において、必要に応じ本体部１１の前面パネル１２側を前面側、本体部１１のリアパネル１４側を背面側、本体部１１の右側面パネル１１ｂ側を右側、本体部１１の左側面パネル１１ｃ側を左側と称する。
【００１４】
フロントパネル１３は、前面パネル１２の前方に配置される。フロントパネル１３と前面パネル１２との間には、上下／左右に４カ所の隙間が形成される。本体部１１の上面の前方に形成される隙間が上面吸込口１３ａ、本体部１１の右側面の前方に形成される隙間が右側面吸込口１３ｂ、本体部１１の左側面の前方に形成される隙間が左側面吸込口１３ｃ、本体部１１の底面の前方に形成される隙間が底面吸込口１３ｄとされる。
【００１５】
また、本体部１１とリアパネル１４との間には、上／左右に３か所の隙間が形成される。本体部１１の上面の後方に形成される隙間が上面吹出口１４ａ、本体部１１の右側面の後方に形成される隙間が右側面吹出口１４ｂ、本体部１１の左側面の後方に形成される隙間が左側面吹出口１４ｃとされる。
【００１６】
空気清浄機１では、上面吸込口１３ａ、右側面吸込口１３ｂ、左側面吸込口１３ｃ、および底面吸込口１３ｄから本体部１１の内部に吸い込んだ空気を、上面吹出口１４ａ、右側面吹出口１４ｂ、および左側面吹出口１４ｃから部屋に吹き出す間に、空気の除塵・加湿および脱臭が行われる。
【００１７】
上面吸込口１３ａ、右側面吸込口１３ｂ、左側面吸込口１３ｃ、および底面吸込口１３ｄと、上面吹出口１４ａ、右側面吹出口１４ｂ、および左側面吹出口１４ｃとを連通する、図３に示す本体部１１内部の空間が、本発明の空気清浄機１における通風路１０である。尚、以下の説明では、必要に応じて通風路１０における各空気吸込口１３ａ〜１３ｄ側を上流側、各空気吹出口１４ａ〜１４ｃ側を下流側として説明する。
【００１８】
空気清浄機１の本体部１１の上面には、後述する操作部２の一部を構成する操作パネル１５が設けられている。操作パネル１５は、前面パネル１２の上面部１２ａと上面吸込口１３ａの間に配置されており、静電容量式のタッチスイッチを用いた複数（図１および図２では６個）の操作スイッチと、空気清浄機１の運転状態や図示しない塵埃センサ等の検出部における検出結果を表示する表示部が設けられている。また、図３に示すように、本体部１１内部の操作パネル１５の直下には、図示しない複数のＬＥＤや制御部が実装された後述する操作部２の一部を構成する操作基板４０が配置されている。
【００１９】
操作スイッチは、空気清浄機１の電源オンオフを行う電源スイッチと、空気清浄機１の運転モード（空気清浄のみ／加湿・空気清浄、等）を選択する運転モード選択スイッチと、風量切替スイッチや湿度設定スイッチ等といった空気清浄機１で選択できる機能に応じて設けられた複数の機能スイッチで構成されている。各スイッチには、スイッチの背面側（本体部１１内部側）に図示しない電極が設けられており、各電極は操作基板４０と電気的に接続されている。また、複数のＬＥＤは各スイッチと同じ個数が操作基板４０に設けられており、各スイッチの配置に対応した配置とされている。
【００２０】
上記各スイッチのうち、電源スイッチと運転モード選択スイッチは、各々に対応するＬＥＤが常に点灯することによって、操作パネル１５に常に表示されている。一方、複数の機能スイッチは、空気清浄機１の待機時（運転停止時）は表示されず、空気清浄機１の運転時であってその機能スイッチが操作可能な条件時のみ対応するＬＥＤが点灯することで、操作パネル１５に表示される。操作基板４０にはさらに図示しない制御部が設けられており、この制御部は、使用者が各操作スイッチを手指で操作したときに変化する電極周辺の静電容量を検出することで、各操作スイッチが操作されたか否かを判断する。
尚、操作パネル１５の形状や、操作パネル１５および操作基板４０の空気清浄機１の本体部１１への具体的な取り付け構造については、後に図３乃至図５を用いて詳細に説明する。
【００２１】
図３に示すように、空気清浄機１の底部１１ｄには４個のキャスター３０（図３では、このうち２個を図示）が設けられている。４個のキャスター３０は、底部１１ｄの前面側と背面側に２個ずつ配置されるとともに、前面側と背面側の各々２個のキャスター３０は底部１１ｄの左右方向の中心を境として左右に対象となる位置に配置されており、キャスター３０が回転することで空気清浄機１が左右方向に移動可能となっている。
【００２２】
通風路１０には、上流側から下流側に向かって順に、プレフィルタ２１、集塵ユニット２２、脱臭ユニット２３、加湿ユニット２４、送風機２５が配置されている。プレフィルタ２１は、例えば糸状のＰＥＴ材を編みこんで網目構造としたものであり、各空気吸込口１３ａ〜１３ｄから本体部１１内部に吸い込まれる空気に含まれる塵埃を捕捉する。
【００２３】
集塵ユニット２２は、第１電気集塵機２２ａと第２電気集塵機２２ｂとで構成されている。第１電気集塵機２２ａと第２電気集塵機２２ｂは、通風路１０におけるプレフィルタ２１と脱臭ユニット２３の間に配置される仕切板１６に上下方向に並べて配置されている。第１電気集塵機２２ａおよび第２電気集塵機２２ｂは、各々が合成樹脂材で箱型に形成された筐体を有し、各々の筐体内部には、図示しない放電電極と集塵電極が設けられている。また、第１電気集塵機２２ａおよび第２電気集塵機２２ｂは、各々の筐体前面（通風路１０の上流側に臨む面）に集塵口２２ａａおよび集塵口２２ｂａを備えている。第１電気集塵機２２ａおよび第２電気集塵機２２ｂは、集塵口２２ａａおよび集塵口２２ｂａから取り込んだ空気に含まれるプレフィルタ２１で除去できなかった細かな塵埃や花粉等を、放電電極によるコロナ放電により発生させたイオンによって帯電させ、帯電した塵埃や花粉等を集塵電極で捕捉する。
【００２４】
脱臭ユニット２３は、脱臭フィルタ２３ａと加熱部２３ｆを有する。脱臭フィルタ２３ａは、例えば、平板材と波形に連続屈曲した屈曲材とを交互に積層してなる波形構造やハニカム構造のような多孔構造の基材を円板状に形成してなり、図示は省略するが例えばセラミックやアルミニウム等で形成された基材に臭気成分を吸着して分解する触媒層を設けたものである。加熱部２３ｆは、ＰＴＣヒータ２３ｂと、２枚の放熱板２３ｃと、２個の断熱材２３ｄと、２個のケース２３ｅとで構成される。ＰＴＣヒータ２３ｂは、２枚の放熱板２３ｃのうち前面側に配置された放熱板２３ｃに取り付けられて、２枚の放熱板２３ｃを加熱する。２枚の放熱板２３ｃは、各々が略三角形状に形成された金属板であり、脱臭フィルタ２３ａの一部を覆うように配置される。２枚の放熱板２３ｃは、脱臭フィルタ２３ａの中央部に位置する箇所や脱臭フィルタ２３ａの外径側で接触するように構成されているので、ＰＴＣヒータ２３ｂにより前面側に配置された放熱板２３ｃだけではなく、背面側の放熱板２３ｃも加熱される。断熱材２３ｄは、ＰＴＣヒータ２３ｂや放熱板２３ｃを覆うように配置されてＰＴＣヒータ２３ｂや放熱板２３ｃからの熱が外部に逃げることを抑制する。ケース２３ｅは、ＰＴＣヒータ２３ｂや放熱板２３ｃや断熱材２３ｄを保持できる形状に形成されている。
【００２５】
脱臭フィルタ２３ａの脱臭能力を再生するときは、ＰＴＣヒータ２３ｂにより２枚の放熱板２３ｃを加熱し、２枚の放熱板２３ｃにより覆われた脱臭フィルタ２３ａの一部を加熱する。図示しないモータによって脱臭フィルタ２３ａを回転させながら脱臭フィルタ２３ａを加熱することによって、脱臭フィルタ２３ａの触媒層２３ａｂに吸着されていた臭気成分の分解が促進され、脱臭フィルタ２３ａの脱臭能力が再生される。
【００２６】
加湿ユニット２４は、加湿フィルタ２４ａと水を貯留する貯水タンク２４ｂと枠体２４ｃを有する。加湿フィルタ２４ａは、円板状に形成されてその一部が貯水タンク２４ｂに溜められた水に浸った状態で回転軸により回転可能に支持されており、図示しないモータにより回転するようになっている。図３に示すように、加湿ユニット２４は底部１１ｄに設置されており、加湿フィルタ２４ａの略上側半分と、脱臭ユニット２３の脱臭フィルタ２３ａの略下側半分が、通風路１０における上流側から下流側に向かう方向に対して重なるように配置される。尚、図１に示すように、本体部１１の右側面には、加湿ユニット２４の配置に対応した位置に扉１７が設けられており、貯水タンク２４ｂに水を供給する図示しない給水タンクに水を補充する場合や、清掃・取替え等といった加湿ユニット２４のメンテナンスを行う場合には、扉１７を開閉して、給水タンクへの水の補充や加湿ユニット２４の着脱が行えるようになっている。
【００２７】
送風機２５は、ターボファン２５ａとファンモータ２５ｂを有する。ターボファン２５ａは、合成樹脂材で形成されており、ファンモータ２５ｂの出力軸に接続されている。ファンモータ２５ｂは回転数可変であり、ファンモータ２５ｂが回転することでターボファン２５ａも回転し、ターボファン２５ａの回転によって、各空気吸込口１３ａ〜１３ｄから空気清浄機１の内部へ空気が流入し、空気清浄機１の内部から各空気吹出口１４ａ〜１４ｃを経て空気が流出する。
【００２８】
以上説明した構成を有する空気清浄機が運転を開始すると、送風機２５が駆動するとともに、集塵ユニット２２の第１電気集塵機２２ａおよび第２電気集塵機２２ｂに通電が開始される。また、空気清浄とともに空気の加湿を行う場合は、加湿ユニット２４の加湿フィルタ２４ａが回転を開始する。送風機２５が駆動すると、上面吸込口１３ａ、右側面吸込口１３ｂ、左側面吸込口１３ｃ、および底面吸込口１３ｄの各空気吸込口１３ａ〜１３ｄから通風路１０の吸入路１０ａに空気が吸い込まれる。
【００２９】
吸入路１０ａに吸い込まれた空気は、１）通風路１０における脱臭ユニット２３の下部と加湿ユニット２４の上部とが前後方向に重なって配置される箇所では、プレフィルタ２１→吸入路１０ａ→集塵ユニット２２→脱臭ユニット２３→加湿ユニット２４の順に、２）通風路１０における脱臭ユニット２３の下部と加湿ユニット２４の上部とが前後方向に重なって配置されていない箇所では、プレフィルタ２１→吸入路１０ａ→集塵ユニット２２→脱臭ユニット２３の順に、または、プレフィルタ２１→吸入路１０ａ→集塵ユニット２２→加湿ユニット２４の順に、それぞれ流れる。このとき、プレフィルタ２１および通電されている集塵ユニット２２で吸い込まれた空気に含まれる塵埃や花粉が除去される。また、脱臭ユニット２３で吸い込まれた空気に含まれる臭気成分が除去されるとともに、加湿ユニット２４で吸い込まれた空気が加湿される。
【００３０】
次に、図１乃至図５を用いて、操作パネル１５の形状と、操作パネル１５の本体部１１上面への取り付けについて詳細に説明する。図４に示すように、空気清浄機１の本体部１１の上面前方に設けられた装着部２０に、操作パネル１５とカバー部材１８と支持部材１９と操作基板４０で構成される操作部２が装着されている。
【００３１】
操作パネル１５は合成樹脂材で横長の板状に形成され、後端の一部が凹状に切り取られた形状とされている。操作パネル１５の前端１５ｃには、操作パネル１５の厚さ寸法の略半分の厚さ寸法で、操作パネル１５の前端１５ｃを基端としてここから本体部１１の前方側に突出するように形成された庇部１５ａが設けられており、庇部１５ａの下面１５ａ１は操作パネル１５の下面を前方に延伸して形成されている。操作パネル１５には、前述した複数の操作スイッチが前方寄りの位置に設けられており、各操作スイッチの部分は透光性材料で形成されている。
【００３２】
カバー部材１８は合成樹脂材で横長の板状に形成されている。カバー部材１８は、支持部材１９と操作基板４０を覆って外観上露出しないようにすることで、空気清浄機１の意匠性を向上させる。本実施形態では、カバー部材１８はさらに、操作基板４０と支持部材１９を本体部１１の装着部２０に固定する固定部も兼ねているが、これに限るものではない。カバー部材１８の左右方向の略中央部前方寄り箇所には、略長方形状の貫通孔１８ｃが設けられており、貫通孔１８ｃの前端側上端部には、後方に延びるように押さえ部１８ａが設けられている。
【００３３】
支持部材１９は合成樹脂材で形成されている。図４および図５に示すように、支持部材１９は、横長の板状に形成された本体部１９ｃと、前面側操作パネル固定部１９ａａと、背面側操作パネル固定部１９ａｂと、基板固定部１９ｂを備えている。前面側操作パネル固定部１９ａａと背面側操作パネル固定部１９ａｂは、操作パネル１５を固定する箇所であり、本体部１９ｃから上方へ突出するように形成されている。前面側操作パネル固定部１９ａａと背面側操作パネル固定部１９ａｂは、これらに操作パネル１５を固定したときに、前面側操作パネル固定部１９ａａが操作パネル１５の各操作スイッチの前方に位置し、また、背面側操作パネル固定部１９ａｂが操作パネル１５の各操作スイッチの後方に位置するように、各々が配置されている。また、前面側操作パネル固定部１９ａａと比べて背面側操作パネル固定部１９ａｂの方が高くなるように形成されている。このように、背面側操作パネル固定部１９ａｂを前面側操作パネル固定部１９ａａより高く形成することによって、前面側操作パネル固定部１９ａａおよび背面側操作パネル固定部１９ａｂの上に操作パネル１５を載置した際に、操作パネル１５が前方に傾斜する。尚、前面側操作パネル固定部１９ａａと背面側操作パネル固定部１９ａｂの間の空間が、後述する操作基板４０に実装されているＬＥＤが発する光を操作パネル１５に導く導光路を兼ねてもよい。また、基板固定部１９ｂは、操作基板４０が固定される箇所であり、本体部１９ｃから下方へ突出するように形成されている。
【００３４】
操作基板４０は、横長の板状に形成されたプリント基板に、操作パネル１５の各操作スイッチに対応するＬＥＤや、ＬＥＤの点灯や使用者が各操作スイッチを手指で操作したときに変化する電極周辺の静電容量を検出する制御部等が実装されている。
【００３５】
支持部材１９の前面側操作パネル固定部１９ａａと背面側操作パネル固定部１９ａｂに操作パネル１５を固定すると、図５（Ｂ）に示すように、操作パネル１５の庇部１５ａが、操作基板４０を鉛直上方に投影したとき、操作パネル１５の下面に投影される投影面Ｖより前方に突出する。また、前面側操作パネル固定部１９ａａと比べて背面側操作パネル固定部１９ａｂの方が高くなるように形成されているため、これらに操作パネル１５を固定したとき、操作パネル１５が前方に傾く。これにより、庇部１５ａの下面１５ａ１の中で先端部１５ａ２側が最も低くなる。
【００３６】
以上説明した操作パネル１５とカバー部材１８と支持部材１９と操作基板４０が、以下で説明するように相互に組み付けられて、操作部２となる。まず、操作基板４０を支持部材１９の基板固定部１９ｂに組み付ける。次に、操作基板４０が組み付けられた支持部材１９をカバー部材１８に下方から組み付ける。このとき、支持部材１９の前面側操作パネル固定部１９ａａと背面側操作パネル固定部１９ａｂが、カバー部材１８の貫通孔１８ｃから上方に突出するように配置される。最後に、操作パネル１８を支持部材１９の前面側操作パネル固定部１９ａａと背面側操作パネル固定部１９ａｂの上に載置する。操作パネル１５を載置するときは、まず、操作パネル１５の庇部１５ａをカバー部材１８に設けられた押さえ部１８ａの下方側に挿入し、その後操作パネル１５を前面側操作パネル固定部１９ａａと背面側操作パネル固定部１９ａｂの上に載置する。
【００３７】
このように組み立てた操作部２は、本体部１１の装着部２０に固定される。尚、上述した操作部２の構成部品相互の組み付けや操作部２の装着部２０への固定は、図示しないネジ等の締結部品や各部品に備えられた嵌め込み構造によって行われる。
【００３８】
操作部２の組み立てが完了すると、図５に示すように、カバー部材１８に設けられた押さえ部１８ａで操作パネル１５の庇部１５ａを押さえることで、操作パネル１５が支持部材１９に固定される。また、前述したように、庇部１５ａが操作基板４０を操作パネル１５に投影した投影面Ｖより前方に配置される。さらには、前述したように、操作パネル１５が支持部材１９の前面側操作パネル固定部１９ａａと背面側操作パネル固定部１９ａｂの上に載置されることによって、操作パネル１５が前方に傾くように配置されて庇部１５ａの下面１５ａ１の中で先端部１５ａ２側が最も低くなる。
【００３９】
従って、図５（Ｂ）に示すように、操作パネル１５に水滴が付着した場合、水滴が傾斜している操作パネル１５上を前方に向かって流れて、押さえ部１８ａと庇部１５ａの間を介して本体部１１の内部に浸入しても、浸入した水滴は庇部１５ａの下面１５ａ１の先端部１５ａ２側から滴下する。この水滴は、操作基板４０の前端部４０ａより前方を通過して本体部１１の下方に落下するので、押さえ部１８ａと庇部１５ａの間を介して本体部１１の内部に浸入した水滴が操作基板４０に滴下することがない。
【００４０】
また、上述したように、浸入した水滴は庇部１５ａから操作基板４０の前端部４０ａより前方を通過して本体部１１の下方に落下するため、操作基板４０の前端部４０ａが庇部１５ａの先端部１５ａ２より前方に突出しない位置まで操作基板４０を配置することができる。従って、操作基板４０の配置の設計自由度が高くなる。また、操作基板４０の配置の設計自由度が高くなることによって、操作基板４０の上方に配置される操作パネル１５の操作スイッチの配置の設計自由度も高くなって操作パネル１５の意匠性が向上できる。
【実施例２】
【００４１】
次に、主に図６を用いて、本発明の第２の実施形態について説明する。第１の実施形態と異なるのは、図６の拡大図に示すように、カバー部材１８の内部に後述する水除け部１８ｂを備える点である。尚、これ以外の空気清浄機１の構造や操作パネル１５の庇部１５ａが奏する効果については、第１の実施形態と同じであるため、以下では詳細な説明を省略する。
【００４２】
図６に示す水除け部１８ｂは、略くの字状に形成されてカバー部材１８の内部に設けられており、水除け部１８ｂの後端面１８ｂ１が押さえ部１８ａより後方に配置されるように形成されている。そして、カバー部材１８に支持部材１９と操作基板４０を組み付けたとき、カバー部材１８の水除け部１８ｂは、水除け部１８ｂの後端部１８ｂ１と支持部材１９の前面側操作パネル固定部１９ａａの間が隙間Ｓとなるように配置され、カバー部１８の内側（後方側）に操作基板４０が配置される。ここで、上述したように、水除け部１８ｂの後端部１８ｂ１は押さえ部１８ａより後方に配置されるので、水除け部１８ｂの後端部１８ｂ１は押さえ部１８ａの下方に配置されている庇部１５ａより後方に配置される。従って、隙間Ｓは庇部１５ａの後方に配置される。
【００４３】
上述したように、隙間Ｓは庇部１５ａの後方に配置されているので、浸入した水滴が隙間Ｓを介して操作基板４０に到達することがない。また、押さえ部１８ａが庇部１５ａを押さえることによって、押さえ部１８ａと庇部１５ａの間から本体部１１内部に浸入した水滴の一部は、庇部１５ａの先端部や押さえ部１８ａの裏面から滴下するが、これらの水滴は、水除け部１８ｂに当たって下方に滴下するので操作基板４０に滴下することがない。
【実施例３】
【００４４】
次に、主に図７を用いて、本発明の第３の実施形態について説明する。第１の実施形態と異なるのは、図７の拡大図に示すように、操作パネル１５が水平に配置される点、および、操作パネル１５の庇部１５ａの下面１５ａ１に傾斜面１５ｂを設ける点である。尚、これ以外の空気清浄機１の構造や操作パネル１５の庇部１５ａが奏する効果については、第１の実施形態と同じであるため、以下では詳細な説明を省略する。
【００４５】
第３の実施形態における空気清浄機１では、操作部２を構成する部材のうち、操作パネル１５と支持部材１９が第１の実施形態と異なる。本実施形態における操作パネル１５は、庇部１５の下面１５ａ１に傾斜面１５ｂを設ける。この傾斜面１５ｂは、下面１５ａ１の一部を前方に傾斜させて形成されている。尚、下面１５ａ１全体を傾斜面１５ｂとしてもよい。
【００４６】
また、本実施形態における支持部材１９は、第１の実施形態における高さの異なる前面側操作パネル固定部１９ａａおよび背面側操作パネル固定部１９ａｂに代えて、同じ高さに形成された２つの操作パネル固定部１９ａｃを有する。
【００４７】
以上説明した支持部材１８の操作パネル固定部１９ａｃの上に操作パネル１５を載置するときは、まず、操作パネル１５の庇部１５ａをカバー部材１８に設けられた押さえ部１８ａの下方側に挿入し、その後操作パネル１５を操作パネル固定部１９ａｃの上に載置する。上述したように、操作パネル固定部１９ａｃは２つとも同じ高さに形成されているので、操作パネル１５は水平に配置される。
【００４８】
尚、本実施形態では、操作部２を構成する部材は第１の実施形態と同じであるため、詳細な説明は省略する。また、庇部１５ａと押さえ部１８ａの位置関係や、庇部１５ａと操作基板４０の前端部４０ａの位置関係も第１の実施形態と同じであるため、詳細な説明は省略する。
【００４９】
上記のように構成される操作部２の操作パネル１５上に水滴が付着して押さえ部１８ａと庇部１５ａの間を介して本体部１１の内部に浸入した場合、操作パネル１５が水平に配置されていても、庇部１５ａの下面１５ａ１の一部に傾斜面１５ｂが設けられているので、庇部１５ａの下面１５ａ１の中で先端部１５ａ２側が最も低くなる。従って、浸入した水滴は、庇部１５ａの下面１５ａ１の先端部１５ａ２側から滴下する。この水滴は、操作基板４０の前端部４０ａより前方を通過して本体部１１の下方に落下するので、押さえ部１８ａと庇部１５ａの間を介して本体部１１の内部に浸入した水滴が、操作基板４０に滴下することがない。
【符号の説明】
【００５０】
１  空気清浄機
２  操作部
１０  通風路
１１  本体部
１２  前面パネル
１２ａ  上面部
１５  操作パネル
１５ａ  庇部
１５ａ１  下面
１５ａ２  先端部
１５ｂ  傾斜面
１５ｃ  前端
１８  カバー部材
１８ａ  押さえ部
１８ｂ  水除け部
１９  支持部材
１９ａａ  前面側操作パネル固定部
１９ａｂ  背面側操作パネル固定部
１９ａｃ  操作パネル固定部
１９ｂ  基板固定部
２０  装着部
４０  操作基板
４０ａ  前端部
Ｖ  投影面
【図１】
2017110859.tif 000003
【図２】
2017110859.tif 000004
【図３】
2017110859.tif 000005
【図４】
2017110859.tif 000006
【図５】
2017110859.tif 000007
【図６】
2017110859.tif 000008
【図７】
2017110859.tif 000009